(57)【要約】【課題】輻射熱交換器への冷媒流入が止められた後でも、冷媒および圧縮機油などが輻射熱交換器に滞留せず、輻射熱交換器の温度が低下し易い空調機を提供する。【解決手段】空調機１では、三方弁４１が、圧縮機１１から流れてくる高圧冷媒を輻射熱交換器１４に流す第１状態と、圧縮機１１から流れてくる高圧冷媒を輻射熱交換器１４に流さず対流熱交換器１３へ流す第２状態とに切り替えられる。三方弁４１が第１状態にあるとき、高圧冷媒は輻射熱交換器１４及び対流熱交換器１３の両方に流れる。そして、輻射熱交換器１４の温度を低下させる必要があるときは第２状態に切り替えられる。三方弁４１が第２状態にあるとき、高圧冷媒が輻射熱交換器１４に押し込まれないので、冷媒および圧縮機油などが輻射熱交換器１４に滞留せず、輻射熱交換器１４の温度が下がり易くなる。【選択図】図１
2010216766.tif 000002
【特許請求の範囲】
【請求項１】
蒸気圧縮式冷凍サイクルを行う冷媒回路（１０）を備え、少なくとも高圧冷媒を利用して暖房運転を行う空調機であって、
前記冷媒回路（１０）が、
前記高圧冷媒を吐出する圧縮機（１１）と、
内側を流通する前記高圧冷媒と外側を対流する空気との間で熱交換を行わせる対流熱交換器（１３）と、
内側を流通する前記高圧冷媒に所定部材を加熱させて前記所定部材から輻射熱を発生させる輻射熱交換器（１４）と、
前記圧縮機（１１）と前記輻射熱交換器（１４）との間に配置される多方弁（４１）と、
を有し、
前記多方弁（４１）は、前記圧縮機（１１）から流れてくる前記高圧冷媒を前記輻射熱交換器（１４）に流す第１状態と、前記圧縮機（１１）から流れてくる前記高圧冷媒を前記輻射熱交換器（１４）に流さない第２状態とに切り替えられる、
空調機（１）。
【請求項２】
前記多方弁（４１）が前記第１状態であるとき、前記圧縮機（１１）から流れてくる前記高圧冷媒が前記対流熱交換器（１３）および前記輻射熱交換器（１４）へ流れ、
前記多方弁（４１）が前記第２状態であるとき、前記圧縮機（１１）から流れてくる前記高圧冷媒が前記対流熱交換器（１３）にだけ流れる、
請求項１に記載の空調機（１）。
【請求項３】
前記多方弁（４１）が前記第１状態であるとき、前記圧縮機（１１）から流れてくる前記高圧冷媒が前記輻射熱交換器（１４）だけに流れ、
前記多方弁（４１）が前記第２状態であるとき、前記圧縮機（１１）から流れてくる前記高圧冷媒が前記対流熱交換器（１３）にだけ流れる、
請求項１に記載の空調機。
【請求項４】
前記冷媒回路（１０）は、前記輻射熱交換器（１４）から出た前記高圧冷媒を冷却する過冷却熱交換器（４４）をさらに有し、
前記多方弁（４１）が前記第１状態であるとき、前記圧縮機（１１）から流れてくる前記高圧冷媒が前記輻射熱交換器（１４）および前記過冷却熱交換器（４４）へ流れ、
前記多方弁（４１）が前記第２状態であるとき、前記圧縮機（１１）から流れてくる前記高圧冷媒が前記対流熱交換器（１３）にだけ流れる、
請求項１に記載の空調機。
【発明の詳細な説明】
【技術分野】
【０００１】
本発明は、蒸気圧縮式冷凍サイクルを行う冷媒回路を備えた空調機に関する。
【背景技術】
【０００２】
高圧冷媒を利用して暖房運転を行う空調機として、例えば、高圧冷媒を輻射熱交換器に流す空調機が特許文献１（特開平７−５５２３４号公報）に開示されている。特許文献１（特開平７−５５２３４号公報）に記載の空調機では、暖房運転時に輻射熱交換器への高圧冷媒の流入を調節する弁が、輻射熱交換器の下流側に配置されており、輻射熱交換器の温度が上限値に達したとき、弁は流路を閉じて高圧冷媒が輻射熱交換器に流れないようにする。
【発明の概要】
【発明が解決しようとする課題】
【０００３】
しかしながら、上記の構成では、圧縮機の圧力によって高圧冷媒が輻射熱交換器に押し込まれる状態となり、冷媒および圧縮機油などが輻射熱交換器に滞留する。そのため、冷媒温度が下がり難く、輻射熱交換器の温度が下がって欲しいときに下がらないという状態が発生する。また、圧縮機への油の戻りが減るので、圧縮機の信頼性を損なう可能性が高くなる。
【０００４】
本発明では、輻射熱交換器への冷媒流入が止められた後でも、冷媒および圧縮機油などが輻射熱交換器に滞留せず、輻射熱交換器の温度が低下し易い空調機を提供することにある。
【課題を解決するための手段】
【０００５】
第１発明に係る空調機は、蒸気圧縮式冷凍サイクルを行う冷媒回路を備え、少なくとも高圧冷媒を利用して暖房運転を行う空調機である。冷媒回路は、圧縮機と、対流熱交換器と、輻射熱交換器と、多方弁とを有している。圧縮機は、高圧冷媒を吐出する。対流熱交換器は、内側を流通する高圧冷媒と外側を対流する空気との間で熱交換を行わせる。輻射熱交換器は、内側を流通する高圧冷媒に所定部材を加熱させてその所定部材から輻射熱を発生させる。多方弁は、圧縮機と輻射熱交換器との間に配置される。また、多方弁は、圧縮機から流れてくる高圧冷媒を輻射熱交換器に流す第１状態と、圧縮機から流れてくる高圧冷媒を輻射熱交換器に流さない第２状態とに切り替えられる。
【０００６】
従来の空調機では、輻射熱交換器が使用されない場合でも、圧縮機の圧力によって高圧冷媒が輻射熱交換器に押し込まれる状態が発生していた。しかし、第１発明に係る空調機では、多方弁が高圧冷媒を輻射熱交換器に流さない状態に切り替えられるので、高圧冷媒が輻射熱交換器に押し込まれる状態がなくなり、冷媒および圧縮機油などが輻射熱交換器に滞留せず、輻射熱交換器の温度が下がり易くなる。
【０００７】
第２発明に係る空調機は、第１発明に係る空調機であって、多方弁が第１状態であるとき、圧縮機から流れてくる高圧冷媒が対流熱交換器および輻射熱交換器へ流れる。また、多方弁が第２状態であるとき、圧縮機から流れてくる高圧冷媒が対流熱交換器にだけ流れる。
【０００８】
この空調機では、対流熱交換器および輻射熱交換器の両方を用いた暖房運転、または対流熱交換器だけを用いた暖房運転が実行される。そして、対流熱交換器および輻射熱交換器の両方を用いた暖房運転を実行中に、輻射熱交換器の温度が上限値に達したとき、多方弁が高圧冷媒を輻射熱交換器に流さない状態に切り替えられ、対流熱交換器だけを用いた暖房運転が実行される。その結果、輻射熱交換器の温度低下が速まり、空調機は、再び対流熱交換器および輻射熱交換器の両方を用いた暖房運転に復帰することができる。
【０００９】
第３発明に係る空調機は、第１発明に係る空調機であって、多方弁が第１状態であるとき、圧縮機から流れてくる高圧冷媒が輻射熱交換器だけに流れる。また、多方弁が第２状態であるとき、圧縮機から流れてくる高圧冷媒が対流熱交換器にだけ流れる。
【００１０】
この空調機では、輻射熱交換器だけを用いた暖房運転、または対流熱交換器だけを用いた暖房運転が実行される。そして、輻射熱交換器だけを用いた暖房運転を実行中に、輻射熱交換器の温度が上限値に達したとき、多方弁が高圧冷媒を輻射熱交換器に流さない状態に切り替えられ、対流熱交換器だけを用いた暖房運転が実行される。その結果、輻射熱交換器の温度低下が速まり、空調機は、再び輻射熱交換器だけを用いた暖房運転に復帰することができる。
【００１１】
第４発明に係る空調機は、第１発明に係る空調機であって、冷媒回路が、輻射熱交換器から出た高圧冷媒を冷却する過冷却熱交換器をさらに有している。多方弁が第１状態であるとき、圧縮機から流れてくる高圧冷媒が輻射熱交換器および過冷却熱交換器へ流れる。また、多方弁が第２状態であるとき、圧縮機から流れてくる高圧冷媒が対流熱交換器にだけ流れる。
【００１２】
この空調機では、輻射熱交換器を用いた暖房運転を実行中に、輻射熱交換器の温度が上限値に達したとき、多方弁が高圧冷媒を輻射熱交換器に流さない状態に切り替えられ、対流熱交換器だけを用いた暖房運転が実行される。輻射熱交換器の下流側には過冷却熱交換器が配置されているので、輻射熱交換器および過冷却熱交換器に滞留する冷媒の温度低下が速まる。その結果、輻射熱交換器の温度低下が速まり、空調機は、再び輻射熱交換器を用いた暖房運転に復帰することができる。
【発明の効果】
【００１３】
第１発明に係る空調機では、高圧冷媒が輻射熱交換器に押し込まれる状態がなくなり、冷媒および圧縮機油などが輻射熱交換器に滞留せず、輻射熱交換器の温度が下がり易くなる。
【００１４】
第２発明から第４発明のいずれか１つに係る空調機では、輻射熱交換器の温度低下が速まり、輻射熱交換器を用いた暖房運転に早く復帰することができる。
【図面の簡単な説明】
【００１５】
【図１】本発明の一実施形態に係る空調機の冷媒回路図。
【図２】室内ユニットの内部構造を示す分解斜視図。
【図３】熱交換器組立体の側面図。
【図４】輻射熱交換器のパネルと伝熱管との取付構造を示す断面図。
【図５】暖房運転における第２温度センサの検出温度と三方弁の動作との関係を示すグラフ。
【図６】本実施形態の第１変形例に係る空調機の冷媒回路図。
【図７】本実施形態の第２変形例に係る空調機の冷媒回路図。
【図８】パネルと伝熱管との第２の取付構造を示す輻射熱交換器の断面図。
【図９】パネルと伝熱管との第３の取付構造を示す輻射熱交換器の断面図。
【図１０】パネルと伝熱管との第４の取付構造を示す輻射熱交換器の断面図。
【図１１】パネルと伝熱管との第５の取付構造を示す輻射熱交換器の断面図。
【図１２】パネルと伝熱管との第６の取付構造を示す輻射熱交換器の断面図。
【発明を実施するための形態】
【００１６】
以下図面を参照しながら、本発明の実施形態について説明する。なお、以下の実施形態は、本発明の具体例であって、本発明の技術的範囲を限定するものではない。
【００１７】
＜空調機１の冷媒回路１０＞
図１は、本発明の一実施形態に係る空調機の冷媒回路図である。図１において、空調機１は、主に室内に配置される室内ユニット２と、主に室外に配置される室外ユニット３とが冷媒連絡配管によって接続され、蒸気圧縮式冷凍サイクルを行う冷媒回路１０が形成されている。
【００１８】
冷媒回路１０では、圧縮機１１、四路切換弁１２、三方弁４１、輻射熱交換器１４、対流熱交換器１３、膨張弁１５、室外熱交換器１６が順に接続されている。また、アキュームレータ２０が四路切換弁１２と圧縮機１１の吸入口との間に接続されている。
【００１９】
四路切換弁１２は、圧縮機１１から出た冷媒を輻射熱交換器１４側又は室外熱交換器１６側のいずれか一方に流す。たとえば、暖房運転時、制御部は四路切換弁１２に図１の実線で示した流路を選択させて冷媒を輻射熱交換器１４側へ流す。一方、冷房運転時には、制御部は四路切換弁１２に図１の点線で示した流路を選択させて冷媒を室外熱交換器１６側へ流す。
【００２０】
対流熱交換器１３は、複数のフィンと、それらフィンと直交する複数の伝熱管とからなる熱交換器であり、伝熱管内を流通する冷媒とフィン表面上を対流する空気との間で熱交換を行わせる。対流熱交換器１３の近傍には、フィン表面に送風するファン２３が配置されている。
【００２１】
輻射熱交換器１４は、アルミ製の板（以下、パネルという）とそのパネルに固定される伝熱管とからなる熱交換器であり、伝熱管内を流通する高圧冷媒にパネルを加熱させてそのパネルから輻射熱を発生させる。
【００２２】
膨張弁１５は、減圧機構としての電動膨脹弁であり、対流熱交換器１３と室外熱交換器１６との間に接続され、冷媒の流路を絞って冷媒を減圧する。室外熱交換器１６は、複数のフィンと、それらフィンと直交する複数の伝熱管とからなる熱交換器であり、伝熱管内を流通する冷媒とフィン表面上を対流する空気との間で熱交換を行わせる。室外熱交換器１６の近傍には、フィン表面に送風する室外ファン３３が配置されている。アキュームレータ２０は、余分な液冷媒を溜めて圧縮機１１にガス冷媒だけを戻す。
【００２３】
三方弁４１は、第１流通口Ａ、第２流通口Ｂ及び第３流通口Ｃを有し、圧縮機１１から流れてくる高圧冷媒を輻射熱交換器１４およびバイパス管５０のいずれか一方へ流す。説明の便宜上、圧縮機１１から出た高圧冷媒が第１流通口Ａに入り、第２流通口Ｂから出て輻射熱交換器１４に向う状態を第１状態と呼ぶ。また、圧縮機１１から出た高圧冷媒が第１流通口Ａに入り、第３流通口Ｃから出て対流熱交換器１３に向う状態を第２状態と呼ぶ。バイパス管５０は、三方弁４１から出た冷媒を輻射熱交換器１４と対流熱交換器１３とを接続する配管１０ａに導く。つまり、圧縮機１１から出た高圧冷媒は、三方弁４１から輻射熱交換器１４を経由して対流熱交換器１３に入る経路、および三方弁４１からバイパス管５０を経由して対流熱交換器１３へ入る経路のいずれかを通る。
【００２４】
説明の便宜上、配管１０ａとバイパス管５０との合流点をＤ点とする。Ｄ点と輻射熱交換器１４との間に、逆止弁４３が接続されている。逆止弁４３は、Ｄ点に達した冷媒が輻射熱交換器１４へ入ることを防止している。
【００２５】
圧縮機１１の吐出口と四路切換弁１２とを接続する吐出管には、吐出温度センサ１１１が取り付けられている。吐出温度センサ１１１は、圧縮機１１から吐出される高圧冷媒の温度を検知する。
【００２６】
制御部は、輻射熱交換器１４のパネルの温度を、吐出温度センサ１１１が検出する温度に基づいて制御する。しかし、三方弁４１と輻射熱交換器１４とを接続する配管が長く、圧力損失によって吐出温度センサ１１１が検出する温度とパネルの温度とが異なる場合は、輻射熱交換器１４の高圧冷媒入口の近傍に他の温度センサ（以下、第２温度センサ１１４という）が取り付けられる。本実施形態では、吐出温度センサ１１１および第２温度センサ１１４の両方が採用されている。
【００２７】
＜室内ユニット２の内部構造＞
図２は、室内ユニットの内部構造を示す分解斜視図である。図２において、室内ユニット２は、フレーム２１０とグリル２４０とによって外殻が形成されている。フレーム２１０は、四角形の開口部２１１の左端に左板２１２、右端に右板２１３、上端に上板２１４が固定される。フレーム２１０は、ファン室２１０ａと電装品室２１０ｂとを有している。
【００２８】
グリル２４０は、上吹出口２４０ａ、下吹出口２４０ｂ、開口部２４０ｃ、左側吸込口２４０ｄ、および右側吸込口２４０ｅを有している。上吹出口２４０ａはグリル２４０の上部に位置し、下吹出口２４０ｂはグリル２４０の下部に位置する。開口部２４０ｃは、パネル１４ａを室内空間に露出させる。左側吸込口２４０ｄはグリル２４０の左側面に位置し、右側吸込口２４０ｅはグリル２４０の右側面に位置する。
【００２９】
空気は、ファン２３の稼動によって左側吸込口２４０ｄ及び右側吸込口２４０ｅから吸い込まれ、パネル１４ａの断熱された背面と吸込通路形成板１１５，１１６の間を通り、対流熱交換器１３の上流に配置されたフィルタ２１８を通過する。フィルタ２１８を通過した空気は、対流熱交換器１３に導かれ対流熱交換器１３で熱交換をした後、ベルマウス２１６の円穴２１６ａを通過してファン２３に入る。ファン２３から吹き出された空気は、上吹出口２４０ａおよび下吹出口２４０ｂに向ってファン室２１０ａ内に進み、上吹出口２４０ａおよび下吹出口２４０ｂから吹き出される。
【００３０】
ベルマウス２１６の円穴２１６ａは、ファン２３の羽根内径より少し小さめで、円穴２１６ａを通過した空気はファン２３の羽根の内側に入り、羽根で昇圧されてファン２３の外周方向に吹き出される。
【００３１】
モータ支持板２１５は、ファン室２１０ａの上部と下部との間に固定され、ファン２３の駆動モータ２３ａを支える。駆動モータ２３ａは、ネジ２３ｂによってモータ支持板２１５にネジ止めされる。そして、ベルマウス２１６がファン室２１０ａを閉じる。電装品箱２４は、電装品室２１０ｂに保持される。電装品箱２４の中には、ＣＰＵやメモリなどが搭載された制御部が収納されている。
【００３２】
熱交換器組立体２２０は、対流熱交換器１３と輻射熱交換器１４とが合体した構造である。対流熱交換器１３の下方には、ドレンパン組立体２１７が配置されている。例えば、冷房運転時に、空気が対流熱交換器１３を通過するとき、空気中に含まれる水分が対流熱交換器１３表面で結露する。ドレンパン組立体２１７は、対流熱交換器１３から落下してくる結露水を受ける。
【００３３】
なお、上吹出口２４０ａには、吹出口組立体２５０が取り付けられている。吹出口組立体２５０は、空気の吹出方向を変えるルーバーを有している。グリル２４０の開口部２４０ｃの左端、右端および上端それぞれには、左枠２４１、右枠２４２および上枠２４３が取り付けられる。
【００３４】
図３は、熱交換器組立体の側面図である。図３において、熱交換器組立体２２０では、対流熱交換器１３と輻射熱交換器１４とが取付板２２１によって固定されている。取付板２２１は、輻射熱交換器１４の枠１４ｃからパネル１４ａと反対の方向に延びる板金部材であり、貫通穴２２１ａが形成されている。
【００３５】
対流熱交換器１３は、各伝熱管１３ｂの両端近傍に管板１３ｃを有している。管板１３ｃには、取付板２２１の貫通穴２２１ａに対応するネジ穴が形成されている。対流熱交換器１３と取付板２２１とは、貫通穴２２１ａを介してネジ止めされる。
【００３６】
図４は、輻射熱交換器のパネルと伝熱管との取付構造を示す断面図である。図４において、取付金具１４ｅは、伝熱管１４ｂを挟んでパネル１４ａと対向し、予めパネル１４ａに固定されている取付部１４ｄに、取付ネジ１４ｆによってネジ止めされる。取付部１４ｄは、取付ネジ１４ｆが螺合するネジ穴１４ｄａを有している。取付金具１４ｅは、平板部１４ｅａと隆起部１４ｅｂとフランジ部１４ｅｃとを有している。平板部１４ｅａは、パネル１４ａの輻射面の裏面に密着する。隆起部１４ｅｂは、平板部１４ｅａから隆起し、伝熱管１４ｂが嵌まり込むＵ字溝が形成されている。フランジ部１４ｅｃは、平板部１４ｅａの端から隆起し取付部１４ｄに固定される。フランジ部１４ｅｃには、取付部１４ｄのネジ穴１４ｄａに対応する貫通穴１４ｅｄが形成されている。
【００３７】
伝熱管１４ｂがパネル１４ａの裏面に配置されたのち、取付金具１４ｅの貫通穴１４ｅｄが取付部１４ｄのネジ穴１４ｄａに対向するように配置され、取付ネジ１４ｆによってフランジ部１４ｅｃが取付部１４ｄにネジ止めされる。その結果、取付金具１４ｅと伝熱管１４ｂとはパネル１４ａに押付けられ、取付金具１４ｅと伝熱管１４ｂとからパネル１４ａへの伝熱性が確保される。
【００３８】
＜空調機１の動作＞
空調機１は、四路切換弁１２で冷媒の流路を変更し、冷房運転と暖房運転とを切り替える。先ず、冷媒回路が暖房運転用の回路になっている場合について説明する。
【００３９】
（暖房運転）
暖房運転時、四路切換弁１２では図１の実線で示す流路が選択され、圧縮機１１から吐出された高圧のガス冷媒が三方弁４１の第１流通口Ａへ向う。三方弁４１が第１状態のとき、ガス冷媒は第１流通口Ａに入り、第２流通口Ｂから出て輻射熱交換器１４の伝熱管１４ｂ（図３及び図４参照）に入る。
【００４０】
取付金具１４ｅと伝熱管１４ｂとはパネル１４ａに密着しているので（図４参照）、ガス冷媒の熱が伝熱管１４ｂを介してパネル１４ａに伝導し、パネル１４ａの温度が上昇する。温度上昇したパネル１４ａからは輻射熱が発せられるので、パネル１４ａ前方の空気や物体が暖められる。
【００４１】
輻射熱交換器１４を出たガス冷媒は、逆止弁４３を通って対流熱交換器１３に入る。ガス冷媒は、対流熱交換器１３の外側を対流する空気と熱交換して凝縮する。対流熱交換器１３で温度上昇した空気は、室内へ吹き出され室内を暖める。
【００４２】
対流熱交換器１３を出た液冷媒は、室外熱交換器１６に向う途中、膨張弁１５で減圧され室外熱交換器１６に入る。液冷媒は、室外熱交換器１６の外側を対流する空気と熱交換して蒸発しガス冷媒となる。
【００４３】
室外熱交換器１６を出たガス冷媒は、四路切換弁１２、アキュームレータ２０を通って圧縮機１１に戻る。以上のように、空調機１では、輻射熱交換器１４と対流熱交換器１３とによる暖房運転が行われる。
【００４４】
図５は、暖房運転における第２温度センサの検出温度と三方弁の動作との関係を示すグラフである。図５において、第２温度センサ１１４の検出温度が所定温度（この場合は７０℃）を超えた時点で、三方弁４１は、第１流通口Ａから第２流通口Ｂへの冷媒の流れを、第１流通口Ａから第３流通口Ｃへの冷媒の流れに切り換える。つまり、三方弁４１は、輻射熱交換器１４に冷媒が流れている状態から、冷媒が輻射熱交換器１４に流れず対流熱交換器１４のみに流れる状態に切り換える。
【００４５】
そして、予め設定されている切り換え時間Ｔ１が経過したとき、三方弁４１は冷媒の流れを再び第１流通口Ａから第２流通口Ｂへの方向へ切り換え、それによって、輻射熱交換器１４による暖房運転が復帰する。
【００４６】
（冷房運転）
次に、冷媒回路が冷房運転用の回路になった場合について説明する。冷房運転時、四路切換弁１２では図１の点線で示す流路が選択され、圧縮機１１から吐出された高圧のガス冷媒が室外熱交換器１６に向う。ガス冷媒は、室外熱交換器１６の外側を対流する空気と熱交換して凝縮する。室外熱交換器１６から出た液冷媒は、対流熱交換器１３へ向う途中、膨張弁１５で減圧され対流熱交換器１３に入る。液ガス冷媒は、対流熱交換器１３の外側を対流する空気と熱交換して蒸発する。対流熱交換器１３で温度低下した空気は、室内へ吹き出され室内を冷却する。
【００４７】
対流熱交換器１３から出たガス冷媒は、バイパス管５０を通って三方弁４１の第３流通口Ｃに入る。なお、ガス冷媒は、バイパス管５０に入る前にＤ点で輻射熱交換器１４側へ流れようとするが、逆止弁４３に阻まれる。第３流通口Ｃに入ったガス冷媒は第１流通口Ａから出て四路切換弁１２に向う。四路切換弁１２を出たガス冷媒は、アキュームレータ２０を通って圧縮機１１に戻る。
【００４８】
＜特徴＞
以上のように、空調機１では、三方弁４１が、圧縮機１１から流れてくる高圧冷媒を輻射熱交換器１４に流す第１状態と、圧縮機１１から流れてくる高圧冷媒を輻射熱交換器１４に流さず対流熱交換器１３へ流す第２状態とに切り替えられる。三方弁４１が第１状態にあるとき、高圧冷媒は輻射熱交換器１４及び対流熱交換器１３の両方に流れる。そして、輻射熱交換器１４の温度を低下させる必要があるときは第２状態に切り替えられる。三方弁４１が第２状態にあるとき、高圧冷媒が輻射熱交換器１４に押し込まれないので、冷媒および圧縮機油などが輻射熱交換器１４に滞留せず、輻射熱交換器１４の温度が下がり易くなる。
【００４９】
＜第１変形例＞
上記実施形態では、輻射熱交換器１４と対流熱交換器１３とが直列に接続されているが、それに限定されるのではなく、輻射熱交換器１４と対流熱交換器１３とが並列に接続されてもよい。図６は、本実施形態の第１変形例に係る空調機の冷媒回路図である。図６において、三方弁４１の第１流通口Ａと第２流通口Ｂとが連通している第１状態のとき、圧縮機１１から吐出された高圧のガス冷媒は輻射熱交換器１４に流れる。また、三方弁４１の第１流通口Ａと第３流通口Ｃとが連通している第２状態のとき、圧縮機１１から吐出された高圧のガス冷媒は対流輻射熱交換器１４に流れる。
【００５０】
第１変形例では、輻射熱交換器１４だけを用いた暖房運転を実行中に、輻射熱交換器１４のパネル１４ａの温度が上限値に達したとき、三方弁４１が高圧冷媒を輻射熱交換器１４に流さない状態に切り替えられ、対流熱交換器１３だけを用いた暖房運転が実行される。その結果、パネル１４ａの温度低下が速まり、空調機１は、早期に、輻射熱交換器１４を用いた暖房運転に復帰することができる。
【００５１】
＜第２変形例＞
図７は、本実施形態の第２変形例に係る空調機の冷媒回路図である。図７において、輻射熱交換器１４の下流側に過冷却熱交換器４４が接続されている。過冷却熱交換器４４では、内部のガス冷媒がファン２３から送風によって冷却され凝縮する。仮に、輻射熱交換器１４を出たガス冷媒が凝縮することなく直に対流熱交換器１３から出た液冷媒と合流した場合、沸騰音が発生するので冷媒の合流音が大きくなる。しかし、輻射熱交換器１４を出たガス冷媒は過冷却熱交換器４４で凝縮するので、対流熱交換器１３で凝縮した冷媒と合流したときに沸騰音は発生しない。その結果、冷媒の合流音が低減される。
【００５２】
第２変形例では、輻射熱交換器１４だけを用いた暖房運転を実行中に、輻射熱交換器１４のパネル１４ａの温度が上限値に達したとき、三方弁４１が高圧冷媒を輻射熱交換器１４に流さない状態に切り替えられ、対流熱交換器１３だけを用いた暖房運転が実行される。輻射熱交換器１４の下流側には過冷却熱交換器４４が配置されているので、輻射熱交換器１４および過冷却熱交換器４４に滞留する冷媒の温度低下は、第１変形例よりも速まる。その結果、パネル１４ａの温度低下が速まり、空調機１は、早期に、輻射熱交換器１４を用いた暖房運転に復帰することができる。
【００５３】
＜その他の変形例＞
輻射熱交換器１４のパネル１４ａと伝熱管１４ｂとの取付構造は、図４に示す形態に限定されるものではない。以下、図８から図１２を用いて他の取付構造について説明する。なお、説明の便宜上、パネル１４ａの輻射面と反対側の面を裏面という。
【００５４】
図８は、パネルと伝熱管との第２の取付構造を示す輻射熱交換器の断面図である。図８において、取付パネル１４１は、パネル１４ａの裏面に接合される平板部１４１ａと、平板部１４１ａから隆起する隆起部１４１ｂとを有している。隆起部１４１ｂは、伝熱管１４ｂの直径より高く隆起し、伝熱管１４ｂが嵌まり込むＵ字溝１４１ｃが形成されている。伝熱管１４ｂがＵ字溝１４１ｃに嵌め込まれた後、Ｕ字溝１４１ｃの開口端が伝熱管１４ｂの外周面を押えるようにカシメ加工される。
【００５５】
図９は、パネルと伝熱管との第３の取付構造を示す輻射熱交換器の断面図である。図９において、パネル１４ａと伝熱管１４ｂとがロウ付けによって接合される。パネル１４ａと伝熱管１４ｂとの接触部に形成されるコーナーにロウ１４０が行き渡るので、伝熱管１４ｂからパネル１４ａへの熱伝導性が高い。
【００５６】
図１０は、パネルと伝熱管との第４の取付構造を示す輻射熱交換器の断面図である。図１０において、第１取付金具３４１は、パネル１４ａの裏面に接合される平板部３４１ａと、平板部３４１ａから隆起する隆起部３４１ｂとを有している。平板部３４１ａは、スポット溶接あるいはロウ付け溶接によってパネル１４ａの裏面に密着するように接合される。隆起部３４１ｂは、伝熱管１４ｂの直径寸法程度に隆起し、伝熱管１４ｂが嵌まり込むＵ字溝３４１ｃが形成されている。また、Ｕ字溝３４１ｃの両側にネジ穴３４１ｄが形成されている。
【００５７】
第２取付金具３４２は、第１取付金具３４１のネジ穴３４１ｄに対応する貫通穴３４２ａを有している。第２取付金具３４２は、Ｕ字溝３４１ｃに嵌め込まれた伝熱管１４ｂを覆うように、第１取付金具３４１にネジ３４３によってネジ止めされる。伝熱管１４ｂはＵ字溝３４１ｃから僅かに突出しているので、第２取付金具３４２が第１取付金具３４１にネジ止めされたとき、伝熱管１４ｂは圧迫されＵ字溝３４１ｃに密着する。
【００５８】
図１１は、パネルと伝熱管との第５の取付構造を示す輻射熱交換器の断面図である。図１１において、押え金具４４１は、パネル１４ａの裏面に接合される平板部４４１ａと、パネル１４ａの裏面とによって伝熱管１４ｂを挟み込むＵ字溝４４１ｂとを有している。伝熱管１４ｂがパネル１４ａの裏面に配置された後、押え金具４４１のＵ字溝４４１ｂが伝熱管１４ｂを覆う。その状態で、平板部４４１ａとパネル１４ａの裏面とがスポット溶接、或はロウ付け溶接によって接合される。
【００５９】
図１２は、パネルと伝熱管との第６の取付構造を示す輻射熱交換器の断面図である。図１２において、パネル１４ａは、裏面の伝熱管１４ｂの配置位置と対応する部分に隆起部５４１を有している。隆起部５４１には、伝熱管１４ｂが嵌まり込むＵ字溝５４１ａが形成されている。Ｕ字溝５４１ａは、伝熱管１４ｂが嵌まり込んだとき、伝熱管１４ｂの外周面が僅かに突出する程度の深さである。Ｕ字溝５４１ａの両側にはネジ穴５４１ｂが形成されている。
【００６０】
押え金具５４２は、隆起部５４１のネジ穴５４１ｂに対応する貫通穴５４２ａを有している。押え金具５４２は、隆起部５４１から僅かに突出した伝熱管１４ｂの外周面を覆うように、ネジ５４３によって隆起部５４１にネジ止めされる。
【産業上の利用可能性】
【００６１】
以上のように、本発明によれば、輻射熱交換器を用いた暖房機器に有用である。
【符号の説明】
【００６２】
１  空調機
１０  冷媒回路
１１  圧縮機
１３  対流熱交換器
１４  輻射熱交換器
４１  三方弁
４４  過冷却熱交換器
【先行技術文献】
【特許文献】
【００６３】
【特許文献１】特開平７−５５２３４号公報
【図１】
2010216766.tif 000003
【図２】
2010216766.tif 000004
【図３】
2010216766.tif 000005
【図４】
2010216766.tif 000006
【図５】
2010216766.tif 000007
【図６】
2010216766.tif 000008
【図７】
2010216766.tif 000009
【図８】
2010216766.tif 000010
【図９】
2010216766.tif 000011
【図１０】
2010216766.tif 000012
【図１１】
2010216766.tif 000013
【図１２】
2010216766.tif 000014